(57)【要約】【課題】  蛍光灯による光の影響等を受けることによって画像データから原稿の輪郭を抽出できない場合に、ユーザーに対して、生成された画像データに不具合が生じていることを知らせるようにする。【解決手段】  制御部１０は、開閉検出部３３によって原稿カバー部材３２の開状態が検出されている場合に、画像読取部１１に対し、原稿載置面３１Ａの全体に対応する第１画像データを生成させ、第１画像データから原稿の輪郭を抽出可能である場合に、第１画像データから、原稿を示す部分に対応する第２画像データを切出す。制御部１０はまた、第１画像データから原稿の輪郭を抽出可能でない場合に、表示部１６に、第１画像データから原稿の輪郭を抽出できないことを示す情報を表示させる。【選択図】図５
2020077999.tif 000002
【特許請求の範囲】
【請求項１】
原稿が載置される原稿載置面を含む原稿載置台と、
前記原稿載置面に対して開閉可能に設けられ、前記原稿載置面に対して閉状態である場合に前記原稿載置面に載置されている前記原稿を覆うように構成される原稿カバー部材と、
前記原稿カバー部材の開状態又は閉状態を検出する開閉検出部と、
前記原稿載置面に向けて光を照射することによって得られる反射光に基づいて画像データを生成する画像読取部と、
情報を出力する出力部と、
制御部と、を備え、
前記制御部は、前記開閉検出部によって前記原稿カバー部材の開状態が検出されている場合に、前記画像読取部に対し、前記原稿載置面の全体に対応する第１画像データを生成させ、前記第１画像データから前記原稿の輪郭を抽出可能である場合に、前記第１画像データから、前記原稿を示す部分に対応する第２画像データを切出し、
前記制御部は、前記第１画像データから前記原稿の輪郭を抽出可能でない場合に、前記出力部に、前記第１画像データから前記原稿の輪郭を抽出できないことを示す情報を出力させる、画像読取装置。
【請求項２】
前記制御部は、前記出力部に、前記原稿の輪郭を抽出できないことを示す情報として、前記画像読取部によって照射される光とは異なる光の影響を受けた状態で、前記第１画像データが生成されていることを示す情報を出力させる、請求項１に記載の画像読取装置。
【請求項３】
ユーザーによる指示が入力される入力部をさらに備え、
前記制御部は、
前記入力部を介して、前記原稿を集約する指示を受け付けると、前記第１画像データから前記原稿の輪郭を抽出し、
抽出された前記輪郭によって示される前記原稿のサイズが、前記集約が可能なサイズとして予め定められるサイズ以下である場合には、前記第１画像データから前記第２画像データを切出して、前記集約を行なうための画像データを生成し、
抽出された前記輪郭によって示される前記原稿のサイズが、前記予め定められるサイズよりも大きい場合には、前記出力部に、前記原稿のサイズが、前記集約が不可能なサイズであることを示す情報を出力させる、請求項１又は請求項２に記載の画像読取装置。
【請求項４】
前記制御部は、前記開閉検出部によって前記原稿カバー部材の閉状態が検出されている場合は、前記画像読取部に対し、前記原稿載置面の予め定められる領域に向けて光を照射することによって得られる反射光に基づいて、前記予め定められる領域に対応する第３画像データを生成させる、請求項３に記載の画像読取装置。
【請求項５】
前記制御部は、前記第１画像データからエッジを検出し、検出された前記エッジによって囲まれる領域を抽出可能な場合に、前記原稿の輪郭を抽出可能であると判定し、前記エッジによって囲まれる前記領域を抽出可能でない場合には、前記原稿の輪郭を抽出可能でないと判定する、請求項１乃至請求項４のいずれか１つに記載の画像読取装置。
【発明の詳細な説明】
【技術分野】
【０００１】
本発明は、画像読取装置に関し、特に、画像データの切出しを行なうための技術に関する。
【背景技術】
【０００２】
原稿の読取りを行なう場合等に不具合が生じたときに、ユーザーに対して警告を出力する技術が知られている。
【０００３】
例えば、特許文献１には、原稿を読取る指示を受付けたときにプラテンカバーの開状態を検出した場合に、警告を示すガイダンス音声を出力する画像読取装置が開示されている。
【０００４】
また、特許文献２には、オートクロップ機能を実行する際にスキャン画像内の原稿の検出に失敗した場合に、コンタクトガラス上での原稿の再配置をユーザーに促す警告画面を表示装置に表示させる画像読取装置が開示されている。
【先行技術文献】
【特許文献】
【０００５】
【特許文献１】特開２００９−２７２８０５号公報
【特許文献２】特開２０１７−２０１７６７号公報
【発明の概要】
【発明が解決しようとする課題】
【０００６】
オートクロップ機能を利用する場合には、原稿カバー部材が原稿載置台に対して開放された状態で原稿の読取りが実行されることが多い。このような場合に、画像読取装置の上方に取り付けられている蛍光灯が点灯していると、蛍光灯の光の影響を受けた状態で画像データが生成されるため、画像データから原稿の輪郭を抽出できず、画像データから原稿に対応する部分を正確に切出すことができなくなるという問題がある。
【０００７】
特許文献１に開示される技術は、原稿カバー部材の開状態を検出した場合に警告を出力する技術であるため、原稿カバー部材が開状態であることを前提とする上記した問題を解決することはできない。また、特許文献２に開示される技術は、原稿の検出に失敗した場合に原稿の再配置をユーザーに促す技術であるため、画像データから原稿に対応する部分を正確に切出すことができなくなるという上記した問題を解決することはできない。
【０００８】
本発明は、上記の事情に鑑みなされたものであり、蛍光灯による光の影響等を受けることによって画像データから原稿の輪郭を抽出できない場合に、ユーザーに対して、生成された画像データに不具合が生じていることを知らせることを目的とする。
【課題を解決するための手段】
【０００９】
本発明の一局面に係る画像読取装置は、原稿が載置される原稿載置面を含む原稿載置台と、原稿載置面に対して開閉可能に設けられ、原稿載置面に対して閉状態である場合に原稿載置面に載置されている原稿を覆うように構成される原稿カバー部材と、原稿カバー部材の開状態又は閉状態を検出する開閉検出部と、原稿載置面に向けて光を照射することによって得られる反射光に基づいて画像データを生成する画像読取部と、情報を出力する出力部と、制御部と、を備える。制御部は、開閉検出部によって原稿カバー部材の開状態が検出されている場合に、画像読取部に対し、原稿載置面の全体に対応する第１画像データを生成させ、第１画像データから原稿の輪郭を抽出可能である場合に、第１画像データから、原稿を示す部分に対応する第２画像データを切出す。制御部はまた、第１画像データから原稿の輪郭を抽出可能でない場合に、出力部に、第１画像データから原稿の輪郭を抽出できないことを示す情報を出力させる。
【発明の効果】
【００１０】
本発明によれば、原稿カバー部材が開状態であって、第１画像データから原稿の輪郭を抽出可能でない場合に、第１画像データから原稿の輪郭を抽出できないことを示す情報が出力されるので、ユーザーは、生成された画像データに不具合が生じていることを容易に知ることができる。したがって、ユーザーは、画像読取装置の上方に取り付けられている蛍光灯を消灯する等して、画像データに生じている不具合を解消するための適切な対応を迅速に取ることができる。
【図面の簡単な説明】
【００１１】
【図１】本発明の一実施形態に係る画像読取装置を含む画像形成装置の外観を示す斜視図である。
【図２】本発明の一実施形態に係る画像読取装置の内部構成を示す図である。
【図３】本発明の一実施形態に係る画像読取装置を含む画像形成装置の内部構成を示すブロック図である。
【図４】サイズ情報の一例を示す図である。
【図５】ＩＤカード印刷処理を示すフローチャートである。
【図６】ホーム画面の一例を示す図である。
【図７】第１の案内画面の一例を示す図である。
【図８】第１画像データの一例を示す。
【図９】第２の案内画面の一例を示す図である。
【図１０】第１の警告画面の一例を示す図である。
【図１１】第１画像データの他の一例を示す。
【図１２】第２の警告画面の一例を示す図である。
【発明を実施するための形態】
【００１２】
以下、本発明の一実施形態に係る画像読取装置について図面を参照して説明する。図１は、本発明の一実施形態に係る画像読取装置を含む画像形成装置の外観を示す斜視図である。図２は、画像読取装置の内部構成を示す図である。図３は、画像形成装置の内部構成を示すブロック図である。図１乃至図３を参照して、画像形成装置１は、ファクシミリ機能、コピー機能、プリンター機能、及びスキャナー機能等の複数の機能を兼ね備える複合機である。
【００１３】
画像形成装置１は、スキャナー機能によってＩＤ(Identification)カードの一方の面と他方の面とを順番に読取って、一枚の記録紙に集約して印刷するＩＤカード印刷機能を備える。ＩＤカードとは、一般的に使用されるものであれば特に限定されないが、例えば、運転免許証、健康保険証、クレジットカード、又はパスポートである。
【００１４】
図１及び図３を参照して、画像形成装置１の筐体７には、画像形成装置１の様々な機能を実現するための複数の機器が収容されている。例えば、筐体７には、画像読取装置２、画像形成部１２、定着部１３、及び給紙部１４等が収容されている。
【００１５】
画像読取装置２は、原稿を搬送するＡＤＦ（Auto Document Feeder）である原稿搬送部３０と、原稿が載置される原稿載置面３１Ａを含む原稿載置台としてのプラテンガラス３１と、原稿カバー部材３２と、開閉検出部３３と、を備える。プラテンガラス３１は、透明なガラスによって構成される板状部材である。プラテンガラス３１は、短辺が、矢印Ｘ１によって示される主走査方向に伸び、長辺が、矢印Ｘ２によって示される副走査方向に伸びる矩形形状を有する。副走査方向Ｘ２は、主走査方向Ｘ１に対して直交する方向である。
【００１６】
原稿カバー部材３２は、回転軸を介して筐体７に接続されており、回転軸を中心として回動することによって、プラテンガラス３１の原稿載置面３１Ａに対して開閉可能に設けられている。原稿カバー部材３２は、白色の板状部材を含む。原稿カバー部材３２は、原稿載置面３１Ａに対して閉じられている状態（以下、「閉状態」と記す。）にある場合に、原稿載置面３１Ａに載置されている原稿を、上記板状部材によって押さえ付けることによって、原稿を覆うように構成されている。ユーザーは、原稿カバー部材３２を原稿載置面３１Ａに対して開放される状態（以下、「開状態」と記す。）にすることによって、原稿載置面３１Ａに原稿を載置することができる。
【００１７】
開閉検出部３３は、原稿カバー部材３２の開状態又は閉状態を検出する機械式のスイッチ機構である。原稿カバー部材３２によって開閉検出部３３が押下されているときには、開閉検出部３３は、閉状態を示す検出信号を出力する。原稿カバー部材３２によって開閉検出部３３が押下されていないときには、開閉検出部３３は、開状態を示す検出信号を出力する。
【００１８】
図２を参照して、画像読取装置２はさらに、画像読取部１１を備える。画像読取部１１は、キャリッジ３４と、集光レンズ３６と、ＣＣＤ(Charge Coupled Device)センサー３８と、を備える。
【００１９】
キャリッジ３４は、原稿搬送部３０により搬送される原稿又はプラテンガラス３１の原稿載置面３１Ａに載置されている原稿に向けて光を照射する光源３４Ａと、原稿によって反射される反射光をＣＣＤセンサー３８に向けて反射する複数のミラー３４Ｂと、を含む。光源３４Ａは、主走査方向Ｘ１に沿って並ぶように配置される複数のＬＥＤ(Light Emitting Diode)素子を含む。キャリッジ３４は、副走査方向Ｘ２に沿って往復移動可能に構成されている。
【００２０】
集光レンズ３６は、ミラー３４Ｂによって反射される反射光を集光してＣＣＤセンサー３８の受光面に結像させる。ＣＣＤセンサー３８は、集光レンズ３６から受光する光を光電変換して電気信号を出力する。ＣＣＤセンサー３８は、主走査方向Ｘ１に沿って並ぶように配置される複数の光電変換素子を含む。
【００２１】
図１及び図３を再び参照して、画像形成部１２は、感光体ドラム、帯電装置、露光装置、現像装置、及び転写装置を含む。画像形成部１２は、画像読取部１１によって生成される画像データ、ネットワークを介して接続されるＰＣ(Personal Computer)から送られる画像データ、又は他のファクシミリ装置から送られる画像データ等に基づいて、給紙部１４から供給される記録紙にトナー像によって構成される画像を形成する。
【００２２】
定着部１３は、画像形成部１２によって表面にトナー像が形成された記録紙を加熱及び加圧することによってトナー像を記録紙に定着させる。定着部１３によってトナー像が定着された記録紙は排紙トレイ８に排出される。
【００２３】
給紙部１４は、用紙カセットに収容される記録紙、又は手差しトレイに載置される記録紙を図略のピックアップローラーによって１枚ずつ引出して画像形成部１２へと送り出す。
【００２４】
画像形成装置１は、操作部１５を備える。ユーザーは、操作部１５を介して、画像形成装置１によって実行可能な各種機能についての指示等を入力する。操作部１５はまた、表示部１６を含む。表示部１６は、液晶ディスプレイを含む表示装置である。表示部１６は、画像形成装置１によって実行可能な各種機能に関する各種の画面を表示する。操作部１５はさらに、表示部１６に重ねて配置されるタッチパネル１５Ａを含む。操作部１５は、特許請求の範囲における入力部の一例である。表示部１６は、特許請求の範囲における出力部の一例である。
【００２５】
画像形成装置１は、制御ユニット１００を含む。制御ユニット１００は、プロセッサー、ＲＡＭ(Random Access Memory）、及びＲＯＭ（Read Only Memory）等を含む。プロセッサーは、例えば、ＣＰＵ（Central Processing Unit）、ＭＰＵ（Micro Processing Unit）、又はＡＳＩＣ（Application Specific Integrated Circuit）等である。制御ユニット１００は、内蔵するＲＯＭ又はＨＤＤ（Hard Disk Drive）１９に記憶されている制御プログラムが上記のプロセッサーによって実行されることにより、制御部１０として機能する。
【００２６】
制御ユニット１００は、原稿搬送部３０、画像読取部１１、開閉検出部３３、画像形成部１２、定着部１３、給紙部１４、操作部１５、画像処理部１７、画像メモリー１８、ＨＤＤ１９、ファクシミリ通信部２０、及び通信部２１等と電気的に接続される。本実施の形態において、原稿搬送部３０、画像読取部１１、開閉検出部３３、操作部１５、表示部１６、及び制御ユニット１００は、画像読取装置２として機能する。
【００２７】
制御部１０は、画像形成装置１の全体制御を司る。より詳細には、制御部１０は、画像形成装置１の各部の動作、及び、ネットワークを介して接続されるＰＣ又はサーバー等の情報処理装置２２との通信等を制御する。
【００２８】
画像処理部１７は、画像読取部１１によって生成される画像データに対して、必要に応じて画像処理を実行する。
【００２９】
画像メモリー１８は、画像読取部１１によって生成される印刷対象の画像データを一時的に記憶する領域を含む。
【００３０】
ＨＤＤ１９は、画像読取部１１によって生成される画像データを含む各種データを記憶する大容量の記憶装置である。ＨＤＤ１９は、画像形成装置１の一般的な動作を実現するための各種制御プログラムを記憶する。ＨＤＤ１９は、特許請求の範囲における記憶部の一例である。
【００３１】
ＨＤＤ１９は、本実施の形態に係るＩＤカード印刷処理を実行するための印刷プログラムを記憶している。上記のプロセッサーは、印刷プログラムに従って動作することにより、制御部１０として、ＩＤカード印刷処理を実行する。印刷プログラムは、上記制御プログラムに含まれているものとする。
【００３２】
なお、制御部１０は、制御プログラムに基づく動作によらず、ハード回路により動作可能に構成されてもよいし、２つ以上の制御ユニットによって実現される構成であってもよい。
【００３３】
ＨＤＤ１９は、ＩＤカードの種類と、ＩＤカードのサイズとを対応付けて、サイズ情報として予め記憶する。ＩＤカードは、略矩形形状を有する。したがって、ＨＤＤ１９は、ＩＤカードのサイズとして、ＩＤカードの短辺の長さ及び長辺の長さを記憶している。サイズ情報は、操作部１５を介したユーザーによる入力によって、任意に追加又は削除することができる。
【００３４】
図４は、サイズ情報の一例を示す図である。図４を参照して、ＨＤＤ１９は、サイズ情報４０として、例えば、「パスポート」というＩＤカードの種類を示す情報と、「８８ｍｍ×１２５ｍｍ」というＩＤカードのサイズを示す情報とを対応付けて記憶している。ＨＤＤ１９はまた、サイズ情報４０として、例えば、「運転免許証」というＩＤカードの種類を示す情報と、「５４ｍｍ×８５．６ｍｍ」というＩＤカードのサイズを示す情報とを対応付けて記憶している。サイズ情報４０として記憶されているＩＤカードのサイズは、全てＡ５サイズである「１４８ｍｍ×２１０ｍｍ」よりも小さいサイズである。
【００３５】
ＨＤＤ１９はまた、上記サイズ情報とは別に、Ａ５サイズを示す情報として、「１４８ｍｍ×２１０ｍｍ」という情報を予め記憶している。
【００３６】
ファクシミリ通信部２０は、公衆回線への接続を行ない、公衆回線を介して画像データの送受信を行なう。
【００３７】
通信部２１は、ＬＡＮボード等の通信モジュールを含む。画像形成装置１は、通信部２１を介して、ネットワーク上のＰＣ又はサーバー等の情報処理装置２２とデータ通信を行なう。
【００３８】
画像形成装置１の各部には図示しない電源が接続され、この電源から電力が供給されることによって、画像形成装置１の各部が動作する。
【００３９】
［動作］
図５は、ＩＤカード印刷処理を示すフローチャートである。以下、ＩＤカード印刷処理を実行するために、画像形成装置１で実行される印刷プログラムの制御構造について、画像形成装置１の動作と併せて説明する。印刷プログラムは、ユーザーによって、操作部１５を介して、ＩＤカード印刷機能を選択する指示が入力されることによって、制御部１０により実行される。
【００４０】
以下の説明では、ユーザーによる操作部１５を介した入力によって、制御部１０により、Ａ４サイズの記録紙が、印刷に用いる記録紙として設定されているものとする。このように、Ａ４サイズの記録紙が用いられる場合、制御部１０による制御の下、ＩＤカード印刷機能によって、ＩＤカードの一方の面の画像が、Ａ４サイズの記録紙の長手方向一方側に位置するＡ５サイズの領域に割付けられ、ＩＤカードの他方の面の画像が、記録紙の長手方向他方側に位置するＡ５サイズの領域に割付けられて、印刷される。
【００４１】
したがって、ＩＤカードの一方の面のサイズ及び他方の面のサイズが共に、集約が可能なサイズであるＡ５サイズ以下である場合に、ＩＤカード印刷機能による集約が可能になる。ＩＤカードの一方の面又は他方の面のサイズがＡ５サイズよりも大きい場合、ＩＤカード印刷機能による集約が不可能となる。
【００４２】
画像形成装置１の電源が投入されると、制御部１０は、表示部１６に、画像形成装置１によって実行可能な複数の機能のうちのいずれかを選択するためのホーム画面を表示させる。図６は、ホーム画面の一例を示す図である。図６を参照して、ホーム画面６０は、ソフトキーとして、コピー機能を選択するためのキー６２、送信機能を選択するためのキー６４、ファクシミリ機能を選択するためのキー６６、及び、ＩＤカード印刷機能を選択するためのキー６８等を含む。
【００４３】
（１）原稿カバー部材３２が開状態の場合
（１−１）原稿の輪郭を抽出可能である場合
ユーザーは、ＩＤカード印刷機能の利用を所望して、キー６８を押下したものとする。図５を参照して、制御部１０は、タッチパネル１５Ａを介してキー６８の押下を検出すると、表示部１６に、ＩＤカードの一方の面の読取りを開始する指示を入力するための第１の案内画面を表示させる（ステップＳ１０）。
【００４４】
図７は、第１の案内画面の一例を示す図である。図７を参照して、第１の案内画面７０は、「ＩＤカードの表面を読取ります。プラテンガラスにＩＤカードを載置して下さい。」というメッセージ７２を含む。第１の案内画面７０は、ソフトキーとして、画像読取部１１によるＩＤカードの読取りを開始する指示を入力するためのスタートキー７４を含む。第１の案内画面７０の表示後、制御部１０は、スタートキー７４が押下されるまで待機する（ステップＳ１１にてＮＯ）。
【００４５】
図１を参照して、ユーザーは、第１の案内画面７０を確認した後、原稿カバー部材３２を開放して、予め定められる読取領域６におけるプラテンガラス３１の角部に、運転免許証５の角部の１つが重なるように、運転免許証５を載置する。このとき、ユーザーは、運転免許証５を、一方の面としての表面が読取り面となるように読取領域６に載置する。読取領域６は、プラテンガラス３１の角部の１つを含むＡ５サイズの領域である。
【００４６】
運転免許証５の載置後、ユーザーは、原稿カバー部材３２を開状態にしたままで、スタートキー７４を押下したものとする。このとき、画像形成装置１の上方に取り付けられている蛍光灯が点灯しているものとする。
【００４７】
制御部１０は、タッチパネル１５Ａを介してスタートキー７４の押下を検出すると、ＩＤカードの読取りを開始する指示を受け付けたと判定し（ステップＳ１１にてＹＥＳ）、開閉検出部３３から出力される検出信号に基づいて、原稿カバー部材３２が開状態であるか否かを判定する（ステップＳ１２）。
【００４８】
この場合、原稿カバー部材３２は開状態であるので、制御部１０は、原稿カバー部材３２が開状態であると判定し（ステップＳ１２にてＹＥＳ）、画像読取部１１に対し、プラテンガラス３１の原稿載置面３１Ａ全体を読取らせて、原稿載置面３１Ａの全体に対応する第１画像データを生成させる（ステップＳ１３）。このとき生成される第１画像データは、ＩＤカードの一方の面である、運転免許証５の表面の画像を示す画像データである。
【００４９】
図８は、画像読取部１１による原稿の読取りによって生成された第１画像データの一例を示す。以下、第１画像データによって示される画像を用いて、第１画像データのデータ構造を説明する。図８を参照して、第１画像データ８０は、運転免許証５の表面に対応する原稿部分８２と、蛍光灯の光に対応する白筋部分８４，８６と、を含む。原稿部分８２及び白筋部分８４，８６の画素は、白色を示す低濃度値の画素である。第１画像データ８０における、原稿部分８２及び白筋部分８４，８６以外の部分の画素は、黒色を示す高濃度値の画素である。
【００５０】
このように、原稿カバー部材３２が開状態である場合に画像読取部１１による原稿の読取りが実行されると、画像読取部１１は、プラテンガラス３１における原稿が載置されている部分からの反射光を取得するため、第１画像データ８０における原稿部分８２の画素は、白色を示す低濃度値の画素となる。一方、画像読取部１１は、プラテンガラス３１における原稿が載置されていない部分からの反射光を取得することができないため、第１画像データ８０における原稿部分８２以外の部分の画素は、黒色を示す高濃度値の画素となる。
【００５１】
したがって、原稿カバー部材３２が開状態である場合には、原稿部分の濃度値と、原稿部分以外の部分の濃度値との差を用いたエッジ検出が容易になる。したがって、原稿カバー部材３２が開状態である場合には、制御部１０は、以下に説明するように、第１画像データから原稿部分に対応する第２画像データを切出すオートクロップ機能を実行するように設定されている。
【００５２】
なお、原稿カバー部材３２が開状態である場合に画像形成装置１の上方に取り付けられている蛍光灯が点灯している場合には、画像読取部１１は、原稿からの反射光とは異なる蛍光灯の光を取得するため、第１画像データ８０における白筋部分８４，８６の画素は、白色を示す低濃度値の画素となる。
【００５３】
第１画像データの生成後、制御部１０は、一般的に使用される濃淡エッジ検出技術を用いて、第１画像データからエッジを検出する（ステップＳ１４）。この場合、制御部１０は、第１画像データ８０から、原稿部分８２のエッジ８２Ａと、白筋部分８４のエッジ８４Ａ，８４Ｂと、白筋部分８６のエッジ８６Ａ，８６Ｂと、を検出する。
【００５４】
エッジの検出後、制御部１０は、第１画像データから原稿の輪郭を抽出可能であるか否かを判定する（ステップＳ１５）。具体的には、制御部１０は、第１画像データから、検出されたエッジによって囲まれる略矩形の領域を抽出可能な場合には、原稿の輪郭を抽出可能であると判定する。制御部１０は、上記略矩形の領域を抽出可能でない場合には、原稿の輪郭を抽出可能でないと判定する。
【００５５】
この場合、第１画像データ８０から、エッジ８２Ａで囲まれる略矩形の原稿部分８２を抽出可能であるので、制御部１０は、第１画像データから原稿の輪郭を抽出可能であると判定し（ステップＳ１５にてＹＥＳ）、上記略矩形の領域に基づいて、読取られた原稿のサイズを決定する（ステップＳ１６）。
【００５６】
具体的には、制御部１０はまず、検出されたエッジによって囲まれる略矩形の領域を抽出し、抽出した領域の主走査方向Ｘ１の長さを示す情報と、副走査方向Ｘ２の長さを示す情報とを取得する。制御部１０は次いで、ＨＤＤ１９に記憶されているサイズ情報３０から、取得された主走査方向Ｘ１の長さ及び副走査方向Ｘ２の長さに最も近い短辺の長さ及び長辺の長さを有するサイズを抽出し、抽出したサイズを原稿のサイズとして決定する。
【００５７】
この場合、制御部１０はまず、エッジ８２Ａで囲まれる原稿部分８２を抽出し、原稿部分８２の主走査方向Ｘ１の長さを示す「５４ｍｍ」という値と、副走査方向Ｘ２の長さを示す「８５．６ｍｍ」という値とを取得する。制御部１０は次いで、サイズ情報３０から、取得された主走査方向Ｘ１の長さ及び副走査方向Ｘ２の長さと同じ短辺の長さ及び長辺の長さを有する運転免許証のサイズを抽出し、抽出した運転免許証のサイズを原稿のサイズとして決定する。
【００５８】
原稿のサイズの決定後、制御部１０は、決定された原稿のサイズが、Ａ５サイズ以下であるか否かを判定する（ステップＳ１７）。この場合、決定された原稿のサイズは、Ａ５サイズよりも小さい運転免許証のサイズであるので、制御部１０は、決定された原稿のサイズがＡ５サイズ以下であると判定し（ステップＳ１７にてＹＥＳ）、制御部１０は、第１画像データから、検出されたエッジによって囲まれる略矩形の領域に対応する第２画像データを切出す（ステップＳ１８）。この場合、制御部１０は、第１画像データ８０から、エッジ８２Ａで囲まれる原稿部分８２に対応する第２画像データを切出す。切出された第２画像データは、集約用の一方の画像データとして、ＨＤＤ１９に記憶される。
【００５９】
第２画像データの切出し後、制御部１０は、ＩＤカードの両面が読取られたか否かを判定する（ステップＳ１９）。この場合、ＩＤカードの一方の面のみが読取られている状態であるので、制御部１０は、ＩＤカードの両面が読み取られていないと判定し（ステップＳ１９にてＮＯ）、表示部１６に、ＩＤカードの他方の面の読取りを開始する指示を入力するための第２の案内画面を表示させる（ステップＳ２０）。
【００６０】
図９は、第２の案内画面の一例を示す図である。図９を参照して、第２の案内画面９０は、「ＩＤカードの裏面を読取ります。プラテンガラスにＩＤカードを載置して下さい。」というメッセージ９２を含む。第２の案内画面９０は、ソフトキーとして、画像読取部１１によるＩＤカードの読取りを開始する指示を入力するためのスタートキー９４を含む。第２の案内画面９０の表示後、制御部１０は、ステップＳ１１に進み、スタートキー９４が押下されるまで待機する（ステップＳ１１にてＮＯ）。
【００６１】
一方、制御部１０は、ＨＤＤ１９にＡ５サイズを示す情報として予め記憶されている「１４８ｍｍ×２１０ｍｍ」と、取得された原稿の主走査方向Ｘ１の長さを示す値及び副走査方向Ｘ２の長さを示す値とを比較して、プラテンガラス３１に載置されている原稿がＡ５サイズよりも大きいと判定すると、決定された原稿のサイズがＡ５サイズ以下ではないと判定し（ステップＳ１７にてＮＯ）、表示部１０に、第１の警告画面を表示させる（ステップＳ２１）。
【００６２】
図１０は、第１の警告画面の一例を示す図である。図１０を参照して、第１の警告画面１００は、「原稿サイズが非対応です。プラテンガラスにＩＤカードを載置して下さい。」というメッセージ１０２を含む。メッセージ１０２は、ユーザーに対して、原稿のサイズが、ＩＤカード印刷機能による集約が不可能なサイズであることを示す情報である。第１の警告画面１００は、ソフトキーとして、画像読取部１１によるＩＤカードの読取りを開始する指示を入力するためのスタートキー１０４を含む。第１の警告画面１００の表示後、制御部１０は、ステップＳ１１に進み、スタートキー１０４が押下されるまで待機する（ステップＳ１１にてＮＯ）。
【００６３】
（１−２）原稿の輪郭を抽出可能でない場合
図１を参照して、ユーザーは、第２の案内画面９０を確認した後、原稿カバー部材３２を開放して、予め定められる読取領域６におけるプラテンガラス３１の角部に、運転免許証５の角部の１つが重なるように、運転免許証５を載置する。このとき、ユーザーは、運転免許証５を、他方の面としての裏面が読取り面となるように読取領域６に載置する。
【００６４】
運転免許証５の載置後、ユーザーは、原稿カバー部材３２を開状態にしたままで、スタートキー９４を押下したものとする。このとき、画像形成装置１の上方に取り付けられている蛍光灯が点灯しているものとする。
【００６５】
制御部１０は、タッチパネル１５Ａを介してスタートキー９４の押下を検出すると、ＩＤカードの読取りを開始する指示を受け付けたと判定し（ステップＳ１１にてＹＥＳ）、開閉検出部３３から出力される検出信号に基づいて、原稿カバー部材３２が開状態であるか否かを判定する（ステップＳ１２）。
【００６６】
この場合、原稿カバー部材３２は開状態であるので、制御部１０は、原稿カバー部材３２が開状態であると判定し（ステップＳ１２にてＹＥＳ）、画像読取部１１に対し、プラテンガラス３１の原稿載置面３１Ａ全体を読取らせて、原稿載置面３１Ａの全体に対応する第１画像データを生成させる（ステップＳ１３）。このとき生成される第１画像データは、ＩＤカードの他方の面である、運転免許証５の裏面の画像を示す画像データである。
【００６７】
図１１は、画像読取部１１による原稿の読取りによって生成された第１画像データの他の一例を示す。以下、第１画像データによって示される画像を用いて、第１画像データのデータ構造を説明する。図１１を参照して、第１画像データ１１０は、運転免許証５の裏面に対応する原稿部分１１１と、蛍光灯の光に対応する白筋部分１１２，１１３と、を含む。原稿部分１１１及び白筋部分１１２，１１３の画素は、白色を示す低濃度値の画素である。第１画像データ１１０における、原稿部分１１１及び白筋部分１１２，１１３以外の部分の画素は、黒色を示す高濃度値の画素である。
【００６８】
第１画像データの生成後、制御部１０は、一般的に使用される濃淡エッジ検出技術を用いて、第１画像データ１１０からエッジを検出する（ステップＳ１４）。この場合、制御部１０は、原稿部分１１１のエッジの一部と、白筋部分１１２のエッジの一部と、白筋部分１１３のエッジの一部とからなるエッジ１１４，１１５を検出する。
【００６９】
エッジの検出後、制御部１０は、第１画像データから原稿の輪郭を抽出可能であるか否かを判定する（ステップＳ１５）。この場合、原稿部分１１１のエッジと、白筋部分１１２，１１３のエッジとが重なっているため、制御部１０は、第１画像データ１１０から、検出したエッジで囲まれる略矩形の領域を抽出できない。
【００７０】
したがって、制御部１０は、原稿の輪郭を抽出可能でないと判定し（ステップＳ１５にてＮＯ）、表示部１６に、第２の警告画面を表示させる（ステップＳ２２）。
【００７１】
図１２は、第２の警告画面の一例を示す図である。図１２を参照して、第２の警告画面１２０は、「原稿読取中に検出された光が画像に影響を与える可能性があります。光の影響を取り除いて読取りを再試行して下さい。」というメッセージ１２２を含む。メッセージ１２２は、ユーザーに対して、画像読取部１１によって照射される光とは異なる光の影響を受けた状態で、第１画像データが生成されていることを示す情報である。
【００７２】
第２の警告画面１２０は、ソフトキーとして、画像読取部１１によるＩＤカードの読取りを開始する指示を入力するためのスタートキー１２４を含む。第２の警告画面１２０の表示後、制御部１０は、ステップＳ１１に進み、スタートキー１２４が押下されるまで待機する（ステップＳ１１にてＮＯ）。
【００７３】
（２）原稿カバー部材３２が閉状態の場合
図１を参照して、ユーザーは、第２の警告画面１２０を確認した後、光の影響を取り除くために、原稿カバー部材３２を回動して閉状態にして、スタートキー１２４を押下したものとする。このとき、画像形成装置１の上方に取り付けられている蛍光灯が点灯しているものとする。
【００７４】
制御部１０は、タッチパネル１５Ａを介してスタートキー１２４の押下を検出すると、ＩＤカードの読取りを開始する指示を受け付けたと判定し（ステップＳ１１にてＹＥＳ）、開閉検出部３３から出力される検出信号に基づいて、原稿カバー部材３２が開状態であるか否かを判定する（ステップＳ１２）。
【００７５】
この場合、原稿カバー部材３２は閉状態であるので、制御部１０は、原稿カバー部材３２が開状態ではないと判定し（ステップＳ１２にてＮＯ）、画像読取部１１に対し、原稿載置面３１Ａの読取領域６に向けて光を照射させることで読取領域６を読取らせて、読取領域６に対応する第３画像データを生成させる（ステップＳ２３）。このとき生成される第３画像データは、ＩＤカードの他方の面である、運転免許証５の裏面の画像を示す画像データである。
【００７６】
第３画像データは、集約用の他方の画像データとして、ＨＤＤ１９に記憶される。この場合、原稿カバー部材３２が閉状態でＩＤカードの読取りが実行されたため、他方の画像データは、蛍光灯の光の影響を受けていない。
【００７７】
画像データの生成後、制御部１０は、ＩＤカードの両面が読み取られたか否かを判定する（ステップＳ１９）。この場合、ＩＤカードの一方の面及び他方の面が読取られている状態であるので、制御部１０は、ＩＤカードの両面が読み取られたと判定し（ステップＳ１９にてＹＥＳ）、記録紙の長手方向一方側に位置するＡ５サイズの領域に原稿部分８２の画像が割付けられ、記録紙の長手方向他方側に位置するＡ５サイズの領域に原稿部分１１１の画像が割付けられるように、一方の画像データ及び他方の画像データを合成して、印刷用の画像データを生成する（ステップＳ２４）。
【００７８】
印刷用の画像データの生成後、制御部１０は、画像形成部１２等に対し、Ａ４サイズの記録紙に、印刷用の画像データによって示される画像を印刷させる（ステップＳ２５）。印刷後、ＩＤカード印刷処理は終了し、制御部１０は、表示部１６に、ホーム画面６０を再度表示させる。
【００７９】
なお、ユーザーが、第２の警告画面１２０を確認した後、光の影響を取り除くために、画像形成装置１の上方に取り付けられている蛍光灯を消灯して、原稿カバー部材３２が開状態のままでスタートキー１２４を押下した場合には、上記と同様にしてステップＳ１１乃至ステップＳ１８の処理が実行されて、集約用の他方の画像データが生成される。
【００８０】
上記実施の形態によれば、制御部１０は、開閉検出部３３によって原稿カバー部材３２の開状態が検出されている場合に、画像読取部１１に対し、原稿載置面３１Ａの全体に対応する第１画像データを生成させ、第１画像データから原稿の輪郭を抽出可能である場合に、第１画像データから、原稿を示す部分に対応する第２画像データを切出す。制御部１０はまた、第１画像データから原稿の輪郭を抽出可能でない場合に、表示部１６に、第１画像データから原稿の輪郭を抽出できないことを示す情報を表示させる。
【００８１】
このように、原稿カバー部材３２が開状態であって、第１画像データから原稿の輪郭を抽出可能でない場合に、第１画像データから原稿の輪郭を抽出できないことを示す情報が表示されるので、ユーザーは、生成された画像データに不具合が生じていることを容易に知ることができる。したがって、ユーザーは、画像読取装置の上方に取り付けられている蛍光灯を消灯する等して、画像データに生じている不具合を解消するための適切な対応を迅速に取ることができる。
【００８２】
また上記実施の形態によれば、制御部１０は、表示部１６に、原稿の輪郭を抽出できないことを示す情報として、画像読取部１１によって照射される光とは異なる光の影響を受けた状態で、第１画像データが生成されていることを示す情報を表示させる。
【００８３】
これによって、ユーザーは、画像データに生じている不具合の原因を容易に知ることができる。したがって、ユーザーは、画像データに生じている不具合を解消するためのより一層適切な対応を迅速に取ることができる。
【００８４】
また上記実施の形態によれば、制御部１０は、操作部１５を介して、ＩＤカードの一方の面の画像を含む原稿と、他方の面の画像を含む原稿とを集約する指示を受け付けると、第１画像データから原稿の輪郭を抽出し、抽出された輪郭によって示される原稿のサイズが、集約が可能なサイズとして予め定められるＡ５サイズ以下である場合には、第１画像データから第２画像データを切出して、集約を行なうための画像データを生成する。制御部１０はまた、抽出された輪郭によって示される原稿のサイズが、予め定められるＡ５サイズよりも大きい場合には、表示部１６に、原稿のサイズが、集約が不可能なサイズであることを示す情報を出力させる。
【００８５】
これによって、ユーザーは、原稿のサイズが、集約が不可能なサイズであることを容易に知ることができる。したがって、ユーザーは、プラテンガラス３１に載置されている原稿を、集約が可能なサイズの原稿に交換する等の適切な対応を迅速に取ることができる。
【００８６】
また上記実施の形態によれば、制御部１０は、開閉検出部３３によって原稿カバー部材３２の閉状態が検出されている場合は、画像読取部１１に、プラテンガラス３１における原稿載置面３１Ａの読取領域６に向けて光を照射することによって得られる反射光に基づいて、読取領域６に対応する第３画像データを生成させる。
【００８７】
これによって、原稿の集約が可能なサイズの画像データを容易に取得することができるので、制御部１０は、集約を円滑に実行することができる。
【００８８】
また上記実施の形態によれば、制御部１０は、第１画像データからエッジを検出し、検出されたエッジによって囲まれる略矩形の領域を抽出可能な場合に、原稿の輪郭を抽出可能であると判定し、上記略矩形の領域を抽出可能でない場合には、原稿の輪郭を抽出可能でないと判定する。
【００８９】
これによって、制御部１０は、原稿の輪郭を抽出可能であるか否かの判定を容易に実行することができる。
【００９０】
（その他の変形例）
上記実施の形態では、第１の警告画面１００は、「原稿サイズが非対応です。プラテンガラスにＩＤカードを載置して下さい。」というメッセージ１０２を含んでいたが、本発明はそのような実施の形態に限定されない。メッセージ１０２は、原稿のサイズが、ＩＤカード印刷機能による集約が不可能なサイズであることを示す情報であれば特に限定されず、例えば「集約が不可能な原稿サイズです。」というメッセージ、又は、「Ａ５以下のサイズの原稿をプラテンガラスに載置して下さい。」というメッセージ等であってもよい。
【００９１】
また上記実施の形態では、第２の警告画面１２０は、「原稿読取中に検出された光が画像に影響を与える可能性があります。光の影響を取り除いて読取りを再試行して下さい。」というメッセージ１２２を含んでいたが、本発明はそのような実施の形態に限定されない。
【００９２】
メッセージ１２２は、ユーザーに対して、画像データから原稿の輪郭を抽出できないことを示すための情報であれば特に限定されず、例えば「画像データから原稿の輪郭を抽出できません。」というメッセージ、又は、「原稿のサイズを検知できません。」というメッセージ等であってもよい。
【００９３】
また、メッセージ１２２は、「原稿カバー部材を閉じて読取りを再試行して下さい。」というメッセージ、又は、「蛍光灯を消灯して下さい。」というメッセージ等の、光の影響を取り除くための具体的な処置の内容を示す情報を含んでいてもよい。
【００９４】
また上記実施の形態では、出力部の一例として表示部１６が用いられたが、本発明はそのような実施の形態に限定されない。例えば、画像読取装置２が、出力部としての図略のスピーカーを備えており、制御部１０が、当該スピーカーを介して、メッセージ１０２，１２２によって示される情報を、音声によって出力する構成であってもよい。
【００９５】
また上記実施の形態では、オートクロップ機能を利用する場合としてＩＤカード印刷機能を例示して説明したが、本発明はそのような実施の形態に限定されず、例えば、マルチクロップ機能が用いられてもよい。
【００９６】
また上記実施の形態では、制御部１０は、原稿カバー部材３２が開状態である場合に、オートクロップ機能を実行するように構成されたが、本発明はそのような実施の形態に限定されない。例えば、制御部１０は、原稿カバー部材３２が閉状態である場合にも、オートクロップ機能を実行するように構成されていてもよい。この場合、制御部１０は、ＩＤカードの端部近傍に光を照射することによって生じる影に起因する黒筋部分を利用して、第１画像データから原稿の輪郭を抽出する処理を実行する。
【００９７】
また上記実施の形態では、開閉検出部３３の一例として、機械式のスイッチ機構を例示したが、本発明はそのような実施の形態に限定されない。開閉検出部３３は、原稿カバー部材３２の開状態又は閉状態を検出する構成であれば特に限定されず、例えば、原稿カバー部材３２が閉状態になる直前に導通する構成の電気式スイッチであってもよい。
【００９８】
なお、本発明は上記実施の形態の構成に限られず種々の変形が可能である。例えば、上記実施の形態では、本発明に係る画像読取装置の一実施形態としてカラー複合機を用いて説明しているが、これは一例に過ぎず、モノクロ複合機、コピー機、又はファクシミリ装置等の他の電子機器であってもよい。
【００９９】
また、図１乃至図１２を用いて上記実施形態により示した構成及び処理は、本発明の一実施形態に過ぎず、本発明を当該構成及び処理に限定する趣旨ではない。
【符号の説明】
【０１００】
１    画像形成装置
２    画像読取装置
１０  制御部
１１  画像読取部
１５  操作部
１６  表示部
３１  プラテンガラス
３１Ａ  原稿載置面
３２  原稿カバー部材
３３  開閉検出部
１００  制御ユニット
【図１】
2020077999.tif 000003
【図２】
2020077999.tif 000004
【図３】
2020077999.tif 000005
【図４】
2020077999.tif 000006
【図５】
2020077999.tif 000007
【図６】
2020077999.tif 000008
【図７】
2020077999.tif 000009
【図８】
2020077999.tif 000010
【図９】
2020077999.tif 000011
【図１０】
2020077999.tif 000012
【図１１】
2020077999.tif 000013
【図１２】
2020077999.tif 000014